(57)【要約】      （修正有）【課題】マイクロホンの姿勢関わらず、赤外線信号を受光器に向けて効率よく送信する。【解決手段】ワイヤレスマイクロホン１は、音源からの音波に基づいて音声信号を生成する電気音響変換器１３と、音声信号を搬送する光を出力する光源１５と、光源からの光を導く導光部１６と、導光部の姿勢の変位を検知する検知部を有し、検知部の検知結果に基づいて制御信号を出力する制御部１７と、制御信号に基づいて導光部により導かれる光の進行方向を切り替える切替部１８と、を有する。導光部は、光源からの光を第１方向へ反射する反射状態と、光源からの光を透過する透過状態と、を電気的に切り替えて光を導く第１導光部１６１と、第１導光部を透過した光を第１方向とは異なる第２方向へ導く末端導光部１６３と、を備える。切替部は、制御信号に基づいて、第１導光部の反射状態と透過状態とを切り替える。【選択図】図２
2020068490.tif 000002
【特許請求の範囲】
【請求項１】
音源からの音波に基づいて、音声信号を生成する電気音響変換器と、
前記音声信号を搬送する光を出力する光源と、
前記光源からの前記光を導く導光部と、
前記導光部の姿勢の変位を検知する検知部と、
前記検知部の検知結果に基づいて、制御信号を出力する制御部と、
前記制御信号に基づいて、前記導光部により導かれる前記光の進行方向を切り替える切替部と、
を有してなり、
前記導光部は、
前記光源からの前記光を第１方向へ反射する反射状態と、前記光源からの前記光を透過する透過状態と、を電気的に切り替えて前記光を導く第１導光部と、
前記第１導光部を透過した前記光を前記第１方向とは異なる第２方向へ導く末端導光部と、
を備え、
前記切替部は、前記制御信号に基づいて、前記第１導光部の前記反射状態と前記透過状態とを切り替える、
ことを特徴とするワイヤレスマイクロホン。
【請求項２】
前記導光部は、
前記第１導光部を透過した前記光を前記第１方向と前記第２方向それぞれと異なる第３方向へ反射する反射状態と、前記第１導光部を透過した前記光を透過して前記末端導光部へ導く透過状態と、を電気的に切り替えて前記光を導く第２導光部、
を備え、
前記切替部は、前記制御信号に基づいて、前記第２導光部の前記反射状態と前記透過状態とを切り替える、
請求項１記載のワイヤレスマイクロホン。
【請求項３】
前記第１方向と前記第２方向とが成す角度は、前記第１方向と前記第３方向とが成す角度と前記第２方向と前記第３方向とが成す角度それぞれと等しい、
請求項２記載のワイヤレスマイクロホン。
【請求項４】
前記第１方向と前記第２方向と前記第３方向とは、前記光源からの前記光の光軸と直交する、
請求項２記載のワイヤレスマイクロホン。
【請求項５】
前記制御信号は、
前記第１導光部を前記反射状態に切り替える第１反射信号と、
前記第１導光部を前記透過状態に切り替える第１透過信号と、
前記第２導光部を前記反射状態に切り替える第２反射信号と、
前記第２導光部を前記透過状態に切り替える第２透過信号と、
を含み、
前記制御部は、基準方向に対する前記導光部の前記姿勢の前記変位に基づいて、前記第１反射信号と前記第１透過信号と前記第２反射信号と前記第２透過信号と、のうち少なくとも１の信号を出力する、
請求項２記載のワイヤレスマイクロホン。
【請求項６】
前記制御部は、前記基準方向と前記第１方向とが成す角度と、前記基準方向と前記第２方向とが成す角度と、前記基準方向と前記第３方向とが成す角度と、に基づいて、前記第１反射信号と前記第１透過信号と前記第２反射信号と前記第２透過信号と、のうち少なくとも１の信号を出力する、
請求項５記載のワイヤレスマイクロホン。
【請求項７】
前記制御部は、
前記第１方向と前記基準方向とが成す角度が、前記第２方向と前記基準方向とが成す角度と前記第３方向と前記基準方向とが成す角度それぞれより大きいとき、前記第１反射信号を出力し、
前記第２方向と前記基準方向とが成す角度が、前記第１方向と前記基準方向とが成す角度と前記第３方向と前記基準方向とが成す角度それぞれより大きいとき、前記第１透過信号と前記第２透過信号とを出力し、
前記第３方向と前記基準方向とが成す角度が、前記第１方向と前記基準方向とが成す角度と前記第２方向と前記基準方向とが成す角度それぞれより大きいとき、前記第１透過信号と前記第２反射信号とを出力する、
請求項６記載のワイヤレスマイクロホン。
【請求項８】
前記第１方向は、前記第２方向と反対の方向である、
請求項１記載のワイヤレスマイクロホン。
【請求項９】
前記第１方向と前記第２方向とは、前記光源からの前記光の光軸と直交する、
請求項１記載のワイヤレスマイクロホン。
【請求項１０】
前記制御信号は、
前記第１導光部を前記反射状態に切り替える第１反射信号と、
前記第１導光部を前記透過状態に切り替える第１透過信号と、
を含み、
前記制御部は、基準方向に対する前記導光部の前記姿勢の前記変位に基づいて、前記第１反射信号または前記第１透過信号を出力する、
請求項１記載のワイヤレスマイクロホン。
【請求項１１】
前記制御部は、前記基準方向と前記第１方向とが成す角度と、前記基準方向と前記第２方向とが成す角度と、に基づいて、前記第１反射信号または前記第１透過信号を出力する、
請求項１０記載のワイヤレスマイクロホン。
【請求項１２】
前記制御部は、
前記第１方向と前記基準方向とが成す角度が前記第２方向と前記基準方向とが成す角度より大きいとき、前記第１反射信号を出力し、
前記第２方向と前記基準方向とが成す角度が前記第１方向と前記基準方向とが成す角度より大きいとき、前記第１透過信号を出力する、
請求項１１記載のワイヤレスマイクロホン。
【請求項１３】
前記導光部により導かれた前記光を拡散させる拡散部、
を有してなる、
請求項１記載のワイヤレスマイクロホン。
【請求項１４】
前記末端導光部は、前記第１導光部からの前記光を前記第２方向へ反射する、
請求項１記載のワイヤレスマイクロホン。
【請求項１５】
前記末端導光部は、前記第１導光部からの前記光を前記第２方向へ反射する反射状態と、前記光源からの前記光を透過する透過状態と、を電気的に切り替えて前記光を導き、
前記切替部は、前記制御信号に基づいて、前記末端導光部の前記反射状態と前記透過状態とを切り替える、
請求項１記載のワイヤレスマイクロホン。
【請求項１６】
情報を搬送する光を出力する光源と、
前記光源からの前記光を導く導光部と、
前記導光部の姿勢の変位を検知する検知部と、
前記検知部の検知結果に基づいて、制御信号を出力する制御部と、
前記制御信号に基づいて、前記導光部により導かれる前記光の進行方向を切り替える切替部と、
を有してなり、
前記導光部は、
前記光源からの前記光を第１方向へ反射する反射状態と、前記光源からの前記光を透過する透過状態と、を電気的に切り替えて前記光を導く第１導光部と、
前記第１導光部を透過した前記光を前記第１方向とは異なる第２方向へ導く末端導光部と、
を備え、
前記切替部は、前記制御信号に基づいて、前記第１導光部の前記反射状態と前記透過状態とを切り替える、
ことを特徴とするワイヤレス送信器。
【発明の詳細な説明】
【技術分野】
【０００１】
本発明は、ワイヤレスマイクロホンとワイヤレス送信器とに関する。
【背景技術】
【０００２】
近年、赤外線通信を用いてアンプやミキサーなどの外部装置へ音声信号を送信するワイヤレスマイクロホン（以下「マイクロホン」という）は、主に屋内でのカラオケや会議、講演、講義などにおいて使用される。マイクロホンは、使用時、マイクロホンの使用者に把持される。
【０００３】
一般的に、赤外線通信を用いたマイクロホンは、収音した音声に応じた音声信号を生成する電気音響変換器と、光源（例えば、ＬＥＤ（Light Emitting Diode））から出力される赤外線信号により音声信号を送信する送信部と、を有してなる。送信部から出力される赤外線信号は、壁や天井などに配置される受光器に向けて送信される。その結果、マイクロホンからの音声信号は、受光器を介して復調機などの外部装置に伝送される。
【０００４】
人がマイクロホンを手に持って使用する場合、マイクロホンの姿勢は、人の手の影響（人の手によりマイクロホンに加えられる回転や傾斜など）により常に変位する。すなわち、赤外線信号が出力される方向（光源の向き）は、常に変位する。そのため、マイクロホンの姿勢によっては、光源の向きが受光器以外の方向を向くことにより、受光器が赤外線信号を受信しなくなる場合がある。その結果、マイクロホンと受光器との間の赤外線通信が、途切れる（安定しない）場合がある。
【０００５】
これまでにも、マイクロホンの姿勢（光源の向き）に関わらずマイクロホンと受光器との間の赤外線通信を安定させる技術が提案されている（例えば、特許文献１と特許文献２とを参照）。
【０００６】
特許文献１に開示されたマイクロホンは、リング状に配列された複数のＬＥＤ（光源）を備え、全てのＬＥＤから死角なく赤外線信号を出力することで、マイクロホンの姿勢（光源の向き）に関わらず安定した赤外線通信を実現する。しかしながら、特許文献１に開示されたマイクロホンは、全てのＬＥＤから赤外線信号を出力する。そのため、出力された赤外線信号の多くは、受光器に受信されることなく損失され、マイクロホンの電力を無駄に消費する一因となっている。
【０００７】
一方、特許文献２に開示されたマイクロホンは、ジャイロ機構とミラーとを組み合わせた機構を備え、ミラーの反射面の向きをジャイロ機構により上方向に保持することで、ＬＥＤからの赤外線信号を常に上方向（天井や壁に配置された受光器が有る方向）に向けて反射（出力）する。そのため、特許文献２に開示されたマイクロホンから出力された赤外線信号は、マイクロホンの姿勢（光源の向き）に関わらず受光器に向けて効率よく送信される。しかしながら、ジャイロ機構は、滑らかに動作する必要のある複数の可動部により構成される。そのため、落下などの衝撃によりジャイロ機構に歪みが生じると、ジャイロ機構の動作が阻害される場合がある。
【先行技術文献】
【特許文献】
【０００８】
【特許文献１】特開平９−５１２７９号公報
【特許文献２】特開平５−４９０８７号公報
【発明の概要】
【発明が解決しようとする課題】
【０００９】
本発明は、マイクロホンの姿勢、すなわち、光源の向きに関わらず、赤外線信号を受光器に向けて効率よく送信することを目的とする。
【課題を解決するための手段】
【００１０】
本発明にかかるワイヤレスマイクロホンは、音源からの音波に基づいて、音声信号を生成する電気音響変換器と、音声信号を搬送する光を出力する光源と、光源からの光を導く導光部と、導光部の姿勢の変位を検知する検知部と、検知部の検知結果に基づいて、制御信号を出力する制御部と、制御信号に基づいて、導光部により導かれる光の進行方向を切り替える切替部と、を有してなり、導光部は、光源からの光を第１方向へ反射する反射状態と、光源からの光を透過する透過状態と、を電気的に切り替えて光を導く第１導光部と、第１導光部を透過した光を第１方向とは異なる第２方向へ導く末端導光部と、を備え、切替部は、制御信号に基づいて、第１導光部の反射状態と透過状態とを切り替える、ことを特徴とする。
【発明の効果】
【００１１】
本発明によれば、マイクロホンの姿勢、すなわち、光源の向きに関わらず、赤外線信号を受光器に向けて効率よく送信することができる。
【図面の簡単な説明】
【００１２】
【図１】本発明にかかるワイヤレスマイクロホンの実施の形態を示す正面図である。
【図２】図１のワイヤレスマイクロホンの機能ブロック図である。
【図３】図１のワイヤレスマイクロホンの部分拡大斜視図である。
【図４】図１のワイヤレスマイクロホンが備える第１導光部が光を導く様子を示す模式図である。
【図５】図１のワイヤレスマイクロホンが備える第１導光部と第２導光部とが光を導く様子を示す模式図である。
【図６】図１のワイヤレスマイクロホンが備える第１導光部と第２導光部と末端導光部とが光を導く様子を示す模式図である。
【図７】図１のワイヤレスマイクロホンが備える発光部が出力する光の光軸に対する第１導光部と第２導光部と末端導光部それぞれが光を導く方向の関係を示す模式図である。
【図８】図１のワイヤレスマイクロホンが備えるセンサ部と、光軸と、第１導光部と第２導光部と末端導光部それぞれが光を導く方向と、の関係を示す模式図である。
【図９】図１のワイヤレスマイクロホンの動作を示すフローチャートである。
【図１０】図１のワイヤレスマイクロホンが備える信号生成部による受光器方向の特定の例を示す模式図である。
【図１１】図１のワイヤレスマイクロホンが備える導光部により導かれる光の進行方向の切り替えの例を示す模式図である。
【図１２】図１のワイヤレスマイクロホンが備えるヘッドケースが導光部よりも上方に位置している状態における、重力方向と、第１導光部と第２導光部と末端導光部それぞれが光を導く方向と、が成す角度の例を示す模式図である。
【図１３】図１２のヘッドケースが導光部よりも下方に位置している状態における、重力方向と、第１導光部と第２導光部と末端導光部それぞれが光を導く方向と、が成す角度の例を示す模式図である。
【図１４】本発明にかかるワイヤレスマイクロホンの別の実施の形態を示す機能ブロック図である。
【図１５】図１２のワイヤレスマイクロホンが備える第１導光部と末端導光部とが光を導く様子を示す模式図である。
【図１６】図１２のワイヤレスマイクロホンが備える発光部が出力する光の光軸に対する第１導光部と末端導光部それぞれが光を導く方向の関係を示す模式図である。
【図１７】図１２のワイヤレスマイクロホンの動作を示すフローチャートである。
【図１８】図１２のワイヤレスマイクロホンが備える信号生成部による受光器方向を特定の例を示す模式図である。
【図１９】図１２のワイヤレスマイクロホンが備える導光部により導かれる光の進行方向の切り替えの例を示す模式図である。
【図２０】本発明にかかるワイヤレスマイクロホンのさらに別の実施の形態を示す模式図である。
【発明を実施するための形態】
【００１３】
以下、図面を参照しながら、本発明にかかるワイヤレスマイクロホン（以下「マイクロホン」という。）とワイヤレス送信器（以下「送信器」という。）との実施の形態について説明する。
【００１４】
本発明は、人がマイクロホン（送信器）を手に持って使用する場合に生じるマイクロホンの姿勢の変位に応じて、マイクロホンから出力される赤外線信号の方向を切り替えることにより、マイクロホンの姿勢の変位に関わらず、赤外線信号を受光器に向けて効率よく送信するものである。以下の説明において、受光器は、マイクロホンが使用される室内の天井面に配置されるものとする。
【００１５】
「姿勢」は、物品（以下の実施の形態では、マイクロホンや送信器）を構成する各部位の３次元空間内における相対的な位置関係である。
【００１６】
「姿勢の変位」は、物品を構成する各部位の３次元空間内における相対的な位置関係の変化である。すなわち、例えば、物品の姿勢の変位は、物品に外力が加えられた結果、物品が回転、傾斜、移動することにより生じる。
【００１７】
●ワイヤレスマイクロホン（１）●
●ワイヤレスマイクロホン（１）の構成
図１は、本発明にかかるマイクロホンの実施の形態を示す正面図である。
マイクロホン１は、音源（不図示）からの音波を収音し、音波に基づいて音声信号を生成し、音声信号を出力する。マイクロホン１は、例えば、室内でのカラオケや会議、講演、講義などにおいて、赤外線通信を用いて音声信号を送信する、いわゆるハンドヘルド型のワイヤレスマイクロホンである。マイクロホン１は、使用時、マイクロホン１の使用者に把持される。
【００１８】
図２は、マイクロホン１の機能ブロック図である。
マイクロホン１は、グリップ筐体１０（図１参照）と、ヘッドケース１１（図１参照）と、拡散ケース１２と、ドライバユニット１３と、変調部１４と、発光部１５と、導光部１６と、制御部１７と、切替部１８と、電源部１９と、回路基板２０と、を有してなる。
【００１９】
グリップ筐体１０（図１参照）は、変調部１４と、発光部１５と、制御部１７と、切替部１８と、電源部１９と、回路基板２０と、を収容すると共に、マイクロホン１のグリップとして機能する。グリップ筐体１０は、例えば、アルミニウム合金などの金属製である。グリップ筐体１０は、円筒状である。
【００２０】
ヘッドケース１１（図１参照）は、ドライバユニット１３を収容して、ドライバユニット１３を埃や風などから保護する。ヘッドケース１１は、グリップ筐体１０の２つの開口端のうち、一方の開口端（以下「第１開口端」という。）に取り付けられる。
【００２１】
拡散ケース１２は、導光部１６を収容すると共に、導光部１６により導かれた光を拡散させてマイクロホン１の外部に放射する。拡散ケース１２は、本発明における拡散部の例である。拡散ケース１２は、光（赤外線）を拡散しながら透過する処理が施された、例えば、ポリカーボネートなどの合成樹脂製である。拡散ケース１２は、一端が開口する有底筒状である。すなわち、拡散ケース１２は、筒状部１２１と底部１２２とを備える（図１参照）。拡散ケース１２は、開口端をグリップ筐体１０に向けて、グリップ筐体１０の２つの開口端のうち、第１開口端とは反対側の開口端（以下「第２開口端」という。）に取り付けられる。
【００２２】
拡散ケース１２は、例えば、導光部１６により導かれた光が逆円錐状に放射されるように、同光を拡散させる。拡散ケース１２が光を放射する角度範囲は、例えば、導光部１６からの光が入光した位置から１２０°を超えるように設定される。
【００２３】
ドライバユニット１３は、音源からの音波に基づいて、音声信号を生成する。ドライバユニット１３は、例えば、単一指向性のダイナミック型マイクロホンユニットである。ドライバユニット１３は、本発明における電気音響変換器の例である。ドライバユニット１３は、ヘッドケース１１に収容される。ドライバユニット１３からの音声信号は、変調部１４に出力される。
【００２４】
なお、本発明におけるドライバユニットの指向性は、単一指向性に限定されない。また、本発明におけるドライバユニットの型は、ダイナミック型に限定されない。
【００２５】
変調部１４は、ドライバユニット１３からの音声信号に基づいて、発光部１５から出力される光（赤外線）の周波数や強度を変調する変調信号を生成する。変調部１４の変調方式は、例えば、ＦＭ周波数変調方式である。変調部１４は、例えば、公知の変調回路である。変調部１４は、回路基板２０に実装される。変調部１４からの変調信号は、発光部１５に出力される。
【００２６】
発光部１５は、変調部１４からの変調信号に基づいて発光し、音声信号を搬送する光（赤外線信号）を出力する。すなわち、発光部１５は、本発明における光源の例である。発光部１５は、例えば、赤外線帯域（例えば、８４０ｎｍ±１０ｎｍ）の波長の赤外線を出力するレーザダイオードである。発光部１５は、回路基板２０に接続されて、回路基板２０を介して、電源部１９からの電源の供給を受ける。
【００２７】
図３は、マイクロホン１を第２開口端側から見た部分拡大斜視図である。
同図は、発光部１５からの光が導光部１６に導かれて拡散ケース１２により拡散される様子を一点鎖線で示す。同図は、説明の便宜上、後述する光学調整部による光の光束の調整の図示を省略している（以下同じ）。
【００２８】
発光部１５は、グリップ筐体１０の第２開口端側の部分に収容され、発光部１５からの光の光軸Ａｘがグリップ筐体１０の中心軸線方向（長手方向）に沿うようにグリップ筐体１０内に固定される。
【００２９】
なお、本発明における発光部からの光の光軸は、グリップ筐体の中心軸線に一致してもよく、あるいは、同中心軸線に一致しなくてもよい。また、同光軸は、後述するマイクロホンの動作を実現可能であれば、同中心軸線に対して傾斜してもよい。
【００３０】
導光部１６は、発光部１５からの光をマイクロホン１の外部に向けて導く。導光部１６は、光学調整部（不図示）と第１導光部１６１と第２導光部１６２と末端導光部１６３とを備える。
【００３１】
光学調整部は、発光部１５からの光の光束を調整して第１導光部１６１へ導く。光学調整部は、例えば、コリメータレンズである。すなわち、光学調整部は、所定の広がり角を有する発光部１５からの光の光束を平行光束にして第１導光部１６１へ導く。
【００３２】
第１導光部１６１は、発光部１５からの光を第１方向Ｄ１へ反射する反射状態と、発光部１５からの光を透過する透過状態と、を電気的に切り替えて、光を導く。第１導光部１６１は、例えば、印加される電圧により反射状態と透過状態とが切り替わる公知の調光ミラーである。第１導光部１６１は、例えば、正の電圧が印加されると反射状態となり、負の電圧が印加されると透過状態となる。第１導光部１６１は、発光部１５からの光の入射面（反射面）である第１面１６１ａと、第１導光部１６１を透過した光の出射面である第２面１６１ｂと、を備える（図４参照）。第１導光部１６１は、第１面１６１ａと第２面１６１ｂとが平行な円板状である。
【００３３】
「第１方向Ｄ１」は、第１面１６１ａにより反射された光が導かれる方向である。
【００３４】
図４は、第１導光部１６１が光を導く（反射する）様子を示す模式図である。
同図は、発光部１５からの光が反射状態である第１導光部１６１により拡散ケース１２の筒状部１２１へ向けて導かれ（反射され）、拡散ケース１２により拡散されていることを示す。
【００３５】
第１導光部１６１は、発光部１５からの光の進行方向において、発光部１５の前方、かつ、光軸Ａｘ上に配置される。第１導光部１６１の第１面１６１ａ（第２面１６１ｂ）は、光軸Ａｘに対して４５°の角度で傾斜する。すなわち、光軸Ａｘと第１面１６１ａにより反射された光の光軸とが成す角度は、９０°である。つまり、第１方向Ｄ１は、光軸Ａｘと直交する。
【００３６】
図３に戻る。
第２導光部１６２は、第１導光部１６１を透過した光を第３方向Ｄ３へ反射する反射状態と、第１導光部１６１を透過した光を透過する透過状態と、を電気的に切り替えて、光を導く。第２導光部１６２は、例えば、印加される電圧により反射状態と透過状態とが切り替わる公知の調光ミラーである。第２導光部１６２は、例えば、正の電圧が印加されると反射状態となり、負の電圧が印加されると透過状態となる。第２導光部１６２は、第１導光部１６１からの光の入射面（反射面）である第１面１６２ａと、第２導光部１６２を透過した光の出射面である第２面１６２ｂと、を備える（図５参照）。第２導光部１６２は、第１面１６２ａと第２面１６２ｂとが平行な円板状である。
【００３７】
「第３方向Ｄ３」は、第１面１６２ａにより反射された光が導かれる方向である。
【００３８】
図５は、第１導光部１６１と第２導光部１６２とが光を導く様子を示す模式図である。
同図は、発光部１５からの光が透過状態である第１導光部１６１を透過し、第２導光部１６２により拡散ケース１２の筒状部１２１へ向けて導かれ（反射され）、拡散ケース１２により拡散されていることを示す。
【００３９】
第２導光部１６２は、発光部１５からの光の進行方向において、第１導光部１６１の前方、かつ、光軸Ａｘ上に配置される。第２導光部１６２の第１面１６２ａ（第２面１６２ｂ）は、光軸Ａｘに対して４５°の角度で傾斜する。すなわち、光軸Ａｘと第１面１６２ａにより反射された光の光軸とが成す角度は、９０°である。つまり、第３方向Ｄ３は、光軸Ａｘと直交する。
【００４０】
図３に戻る。
末端導光部１６３は、第２導光部１６２を透過した光を第２方向Ｄ２へ導く。末端導光部１６３は、光を全反射する反射ミラーである。末端導光部１６３は、第２導光部１６２からの光を反射する反射面１６３ａ（図６参照）を備える。末端導光部１６３は、円板状である。
【００４１】
「第２方向Ｄ２」は、反射面１６３ａにより反射された光が導かれる方向である。
【００４２】
図６は、第１導光部１６１と第２導光部１６２と末端導光部１６３とが光を導く様子を示す模式図である。
同図は、発光部１５からの光が透過状態である第１導光部１６１と第２導光部１６２とを透過し、末端導光部１６３により拡散ケース１２の筒状部１２１へ向けて導かれ（反射され）、拡散ケース１２により拡散されていることを示す。
【００４３】
末端導光部１６３は、発光部１５からの光の進行方向において、第２導光部１６２の前方、かつ、光軸Ａｘ上に配置される。すなわち、本実施形態において、末端導光部１６３は、第１導光部１６１と第２導光部１６２よりもマイクロホン１の末端側に配置される。末端導光部１６３の反射面１６３ａは、光軸Ａｘに対して４５°の角度で傾斜する。すなわち、光軸Ａｘと反射面１６３ａにより反射された光の光軸とが成す角度は、９０°である。つまり、第２方向Ｄ２は、光軸Ａｘと直交する。
【００４４】
図３−図５も参照して、第１導光部１６１と第２導光部１６２と末端導光部１６３とは、光軸Ａｘ上に配置され、固定部材（不図示）により固定される。第２導光部１６２の第１面１６２ａは、発光部１５側から見た光軸Ａｘの軸方向視において、第１導光部１６１を光軸Ａｘを中心に時計回り方向に１２０°回転させたときの第１面１６１ａと平行である。末端導光部１６３の反射面１６３ａは、同軸方向視において、第１導光部１６１を光軸Ａｘを中心に反時計回り方向に１２０°回転させたときの第１面１６１ａと平行である。
【００４５】
図７は、光軸Ａｘに対する第１方向Ｄ１と第２方向Ｄ２と第３方向Ｄ３との関係を示す模式図である。同図の矢印は、光軸Ａｘの軸方向視における第１方向Ｄ１と第２方向Ｄ２と第３方向Ｄ３それぞれの向きを示す。
【００４６】
第１方向Ｄ１と第２方向Ｄ２とが成す角度は、光軸Ａｘの軸方向視において、１２０°である。第１方向Ｄ１と第３方向Ｄ３とが成す角度は、光軸Ａｘの軸方向視において、１２０°である。第２方向Ｄ２と第３方向Ｄ３とが成す角度は、光軸Ａｘの軸方向視において、１２０°である。すなわち、第１方向Ｄ１と第２方向Ｄ２とが成す角度は、第１方向Ｄ１と第３方向Ｄ３とが成す角度と等しく、第２方向Ｄ２と第３方向Ｄ３とが成す角度と等しい。つまり、第１方向Ｄ１は、第２方向Ｄ２と異なり、第３方向Ｄ３とも異なる。第２方向Ｄ２は、第３方向Ｄ３と異なる。
【００４７】
図２に戻る。
このように、導光部１６（第１導光部１６１、第２導光部１６２、末端導光部１６３）は、光源である発光部１５に対して所定の位置に固定部材（不図示）により固定される。すなわち、導光部１６は、発光部１５に対して移動不能な状態で固定される。
【００４８】
制御部１７は、基準方向に対する導光部１６の姿勢の変位に基づいて、制御信号を出力すると共に、マイクロホン１の全体の動作を制御する。制御部１７は、例えば、ＣＰＵ（Central Processing Unit）、ＭＰＵ（Micro Processing Unit）などのプロセッサや、ＡＳＩＣ（Application Specific Integrated Circuit）、ＦＰＧＡ（Field Programmable Gate Array）などの集積回路と、ＲＯＭ（Read Only Memory）やＲＡＭ（Random Access Memory）などの半導体メモリ素子と、により構成される。制御部１７は、回路基板２０に実装される。制御部１７は、センサ部１７１と、演算部１７２と、信号生成部１７３と、を備える。基準方向と制御信号とについては、後述する。
【００４９】
センサ部１７１は、センサ部１７１自身の変位（傾き）を検知する。センサ部１７１は、例えば、加速度センサである。
【００５０】
なお、センサ部は、加速度センサ、地磁気センサ、角速度センサなどの傾きを検知可能なセンサのうちのいずれか、あるいは、これらの組み合わせにより構成されてもよい。
【００５１】
図８は、センサ部１７１と、光軸Ａｘと、第１方向Ｄ１と、第２方向Ｄ２と、第３方向Ｄ３と、の関係を示す模式図である。同図の「●」はセンサ部１７１の原点を示し、同図の「Ｘ」「Ｙ」「Ｚ」はセンサ部１７１の互いに直交する基準軸を示し、同図の破線矢印は重力方向Ｇを示す。重力方向Ｇは、本発明における基準方向の例である。
【００５２】
センサ部１７１は、例えば、いずれかの基準軸（本実施の形態では、基準軸Ｘ）が光軸Ａｘと平行となるように、回路基板２０（図２参照）に実装される。このように、センサ部１７１の原点と基準軸Ｘ，Ｙ，Ｚと光軸Ａｘとの関係が特定されることで、センサ部１７１の基準軸Ｘ，Ｙ，Ｚと第１方向Ｄ１と第２方向Ｄ２と第３方向Ｄ３それぞれとの位置関係は、特定可能である。センサ部１７１の基準軸Ｘ，Ｙ，Ｚと第１方向Ｄ１と第２方向Ｄ２と第３方向Ｄ３それぞれとの位置関係は、演算部１７２（図２参照）に記憶されている。センサ部１７１は、重力方向Ｇに対する基準軸Ｘ，Ｙ，Ｚの変位を検知して、検知結果を演算部１７２に出力する。
【００５３】
演算部１７２（図２参照）は、センサ部１７１の検知結果（重力方向Ｇに対する基準軸Ｘ，Ｙ，Ｚの変位）に基づいて、重力方向Ｇに対する第１方向Ｄ１と第２方向Ｄ２と第３方向Ｄ３それぞれの変位を算出する。すなわち、センサ部１７１と演算部１７２とは、重力方向Ｇに対する第１方向Ｄ１と第２方向Ｄ２と第３方向Ｄ３それぞれの変位を検知することにより、導光部１６の姿勢の変位を検知する。つまり、センサ部１７１と演算部１７２とは、本発明における検知部として機能する。演算部１７２の検知結果（すなわち、検知部の検知結果）は、信号生成部１７３（図２参照）に出力される。
【００５４】
図２に戻る。
信号生成部１７３は、検知部の検知結果（導光部１６の姿勢の変位）に基づいて、制御信号を生成して切替部１８に出力する。制御信号の生成については、後述する。
【００５５】
「制御信号」は、導光部１６により導かれる光の進行方向（第１方向Ｄ１、第２方向Ｄ２、第３方向Ｄ３）を切り替える信号である。制御信号は、第１導光部１６１を反射状態に切り替える第１反射信号と、第１導光部１６１を透過状態に切り替える第１透過信号と、第２導光部１６２を反射状態に切り替える第２反射信号と、第２導光部１６２を透過状態に切り替える第２透過信号と、を含む。制御信号は、切替部１８に出力される。
【００５６】
切替部１８は、制御部１７からの制御信号に基づいて、電源部１９から導光部１６に印加される電力を制御することにより、導光部１６により導かれる光の進行方向を切り替える。切替部１８は、例えば、電源部１９から導光部１６に印加される電源の電圧の正負を切り替える公知の回路である。すなわち、例えば、切替部１８は、第１反射信号に基づいて第１導光部１６１に正の電圧を印加して第１導光部１６１を反射状態に切り替え、第１透過信号に基づいて第１導光部１６１に負の電圧を印加して第１導光部１６１を透過状態に切り替え、第２反射信号に基づいて第２導光部１６２に正の電圧を印加して第２導光部１６２を反射状態に切り替え、第２透過信号に基づいて第２導光部１６２に負の電圧を印加して第２導光部１６２を透過状態に切り替える。切替部１８は、回路基板２０に実装される。
【００５７】
電源部１９は、例えば、回路基板２０を介して、発光部１５と、導光部１６（切替部１８）と、制御部１７と、に電力を供給する。電源部１９は、例えば、ニッケル水素充電池などの充電池である。電源部１９は、グリップ筐体１０に収容される。
【００５８】
回路基板２０は、変調部１４や制御部１７、切替部１８などマイクロホン１の動作に必要な回路を実装する。回路基板２０は、電源部１９に接続されて、電源部１９からの電力の供給を受ける。回路基板２０は、グリップ筐体１０に収容される。
【００５９】
ここで、変調部１４と、発光部１５と、導光部１６と、制御部１７と、切替部１８とは、本発明にかかるワイヤレス送信器を構成する。すなわち、マイクロホン１は、本発明にかかるワイヤレス送信器を備える。
【００６０】
●ワイヤレスマイクロホン（１）の動作
次に、マイクロホン１の動作について説明する。
【００６１】
図９は、マイクロホン１の動作を示すフローチャートである。
先ず、検知部（センサ部１７１，演算部１７２）は、導光部１６の姿勢の変位を検知する（Ｓ１）。検知部の検知結果は、信号生成部１７３に出力される。
【００６２】
次いで、信号生成部１７３（制御部１７）は、検知部の検知結果に基づいて、重力方向Ｇに対する第１方向Ｄ１と第２方向Ｄ２と第３方向Ｄ３それぞれの現在の向き、すなわち、現在の導光部１６の姿勢を特定する（Ｓ２）。
【００６３】
次いで、信号生成部１７３は、第１方向Ｄ１と第２方向Ｄ２と第３方向Ｄ３とのうち、天井に配置された受光器に最も近い方向（以下「受光器方向」という。）を特定する（Ｓ３）。本実施の形態における受光器方向は、第１方向Ｄ１と第２方向Ｄ２と第３方向Ｄ３とのうち、最も上方（重力方向Ｇの反対方向）を向いている方向である。
【００６４】
図１０は、信号生成部１７３による受光器方向の特定の例を示す模式図である。
信号生成部１７３は、例えば、基準方向である重力方向Ｇと第１方向Ｄ１とが成す角度（以下「第１角度」という。）α１と、重力方向Ｇと第２方向Ｄ２とが成す角度（以下「第２角度」という。）α２と、重力方向Ｇと第３方向Ｄ３とが成す角度（以下「第３角度」という。）α３と、を算出し、第１角度α１と第２角度α２と第３角度α３それぞれを比較することにより、受光器方向を特定する。すなわち、例えば、第１角度α１が第２角度α２と第３角度α３それぞれより大きいとき（α１＞α２，α１＞α３）、信号生成部１７３は、第１方向Ｄ１が受光器方向であると特定する。
【００６５】
図９に戻る。
次いで、信号生成部１７３は、特定された受光器方向に対応する制御信号を生成する（Ｓ４）。すなわち、信号生成部１７３は、第１方向Ｄ１が受光器方向であると特定したとき（例えば、図１０のα１＞α２，α１＞α３）、第１反射信号を生成する。信号生成部１７３は、第２方向Ｄ２が受光器方向であると特定したとき（例えば、図１０のα２＞α１，α２＞α３）、第１透過信号と第２透過信号とを生成する。信号生成部１７３は、第３方向Ｄ３が受光器方向であると特定したとき（例えば、図１０のα３＞α１，α３＞α１α２）、第１透過信号と第２反射信号とを生成する。すなわち、制御部１７は、第１角度α１と第２角度α２と第３角度α３とに基づいて、制御信号を生成する。制御信号は、切替部１８に出力される。
【００６６】
次いで、切替部１８は、制御信号に基づいて、導光部１６により導かれる光の進行方向を切り替える（Ｓ５）。
【００６７】
図１１は、導光部１６により導かれる光の進行方向の切り替えの例を示す模式図である。同図は、光軸Ａｘが水平方向と平行な状態（マイクロホン１の長手方向が水平方向と平行な状態）において、第１方向Ｄ１が鉛直方向において真上を向いている状態を０°として、光軸Ａｘを中心に導光部１６の姿勢を０°から３６０°の間で変位（回転）させたときの第１方向Ｄ１と第２方向Ｄ２と第３方向Ｄ３それぞれの向きを示す。同図は、導光部１６により光が導かれている方向（受光器方向）を太い矢印と扇形の記号とで示す。
【００６８】
導光部１６の姿勢が０°から６０°の間で変位するとき、第１角度α１は第２角度α２と第３角度α３それぞれより大きく、受光器方向は第１方向Ｄ１である。このとき、信号生成部１７３は、第１反射信号を生成して、切替部１８に出力する。切替部１８は、第１導光部１６１に正の電圧を印加して第１導光部１６１を反射状態に切り替える。その結果、発光部１５からの光は、第１導光部１６１により第１方向Ｄ１に反射される（導かれる）。
【００６９】
導光部１６の姿勢が６０°から１８０°の間で変位するとき、第２角度α２は第１角度α１と第３角度α３それぞれより大きく、受光器方向は第２方向Ｄ２である。このとき、信号生成部１７３は、第１透過信号と第２透過信号とを生成して、切替部１８に出力する。切替部１８は、第１導光部１６１に負の電圧を印加して第１導光部１６１を透過状態に切り替えると共に、第２導光部１６２に負の電圧を印加して第２導光部１６２を透過状態に切り替える。その結果、発光部１５からの光は、第１導光部１６１と第２導光部１６２とを透過して、末端導光部１６３により第２方向Ｄ２に反射される（導かれる）。
【００７０】
導光部１６の姿勢が１８０°から３００°の間で変位するとき、第３角度α３は第１角度α１と第２角度α２それぞれより大きく、受光器方向は第３方向Ｄ３である。このとき、信号生成部１７３は、第１透過信号と第２反射信号とを生成して、切替部１８に出力する。切替部１８は、第１導光部１６１に負の電圧を印加して第１導光部１６１を透過状態に切り替えると共に、第２導光部１６２に正の電圧を印加して第２導光部１６２を反射状態に切り替える。その結果、発光部１５からの光は、第１導光部１６１を透過して、第２導光部１６２により第３方向Ｄ３に反射される（導かれる）。
【００７１】
導光部１６の姿勢が３００°から３６０°の間で変位するとき、第１角度α１は第２角度α２と第３角度α３それぞれより大きく、受光器方向は第１方向Ｄ１である。このとき、信号生成部１７３は、第１反射信号を生成して、切替部１８に出力する。切替部１８は、第１導光部１６１に正の電圧を印加して第１導光部１６１を反射状態に切り替える。その結果、発光部１５からの光は、第１導光部１６１により第１方向Ｄ１に反射される（導かれる）。
【００７２】
なお、導光部の姿勢が６０°のとき、受光器方向は、第１方向と第２方向とである。このとき、導光部により導かれる光の方向は、例えば、導光部により直前に導かれていた方向に維持されてもよい。すなわち、信号生成部（制御部）は、制御信号を生成しなくてもよい。導光部の姿勢が１８０°，３００°のときも同様である。
【００７３】
図４−図６に戻る。
導光部１６により導かれた光は、拡散ケース１２の筒状部１２１に導かれる。拡散ケース１２は、入光した光を拡散して、拡散ケース１２の外部に放射する。
【００７４】
ここで、マイクロホン１は、光軸Ａｘが水平方向と平行な状態だけでなく、光軸Ａｘが水平方向と非平行な状態（光軸Ａｘが水平方向に対して傾斜した状態）において光軸Ａｘを中心に回転する場合においても、前述した動作と同様に動作する。また、マイクロホン１は、マイクロホン１が光軸Ａｘを中心に回転せず、マイクロホン１の傾きのみが変動する場合（例えば、導光部１６が、ヘッドケース１１を中心に弧を描くように上下に移動する場合）においても、前述した動作と同様に動作する。
【００７５】
図１２は、ヘッドケース１１が導光部１６よりも上方に位置している状態における、第１角度α１と第２角度α２と第３角度α３の例を示す模式図である。
同図は、説明の便宜上、マイクロホン１の状態を二点鎖線で示す。同図は、導光部１６がヘッドケース１１よりも斜め下方に位置し（光源の向きは斜め下方である）、第１角度α１が第２角度α２と第３角度α３それぞれよりも大きいことを示す。この場合、信号生成部１７３は、第１方向Ｄ１が受光器方向であると特定して、第１反射信号を生成して、切替部１８に出力する。その結果、発光部１５からの光は、受光器方向である第１方向Ｄ１に導かれる。
【００７６】
図１３は、導光部１６が図１２に示す状態からヘッドケース１１を中心に上方へ移動して、ヘッドケース１１が導光部１６よりも下方に位置している状態における、第１角度α１と第２角度α２と第３角度α３の例を示す模式図である。
同図は、説明の便宜上、マイクロホン１の状態を二点鎖線で示す。同図は、導光部１６がヘッドケース１１よりも斜め上方に位置し（光源の向きは斜め上方である）、第３角度α３が第１角度α１と第２角度α２それぞれよりも大きいことを示す。この場合、信号生成部１７３は、第３方向Ｄ３が受光器方向であると特定して、第１透過信号と第２反射信号とを生成して、切替部１８に出力する。その結果、発光部１５からの光は、受光器方向である第３方向Ｄ３に導かれる。
【００７７】
このように、制御部１７は、重力方向Ｇに対する導光部１６の姿勢の変位に基づいて、第１反射信号と第１透過信号と第２反射信号と第２透過信号と、のうち少なくとも１の信号を切替部１８に出力する。切替部１８は、制御信号に基づいて、導光部１６により導かれる光の進行方向を切り替える。その結果、本実施の形態にかかるマイクロホン１は、マイクロホン１の姿勢に関わらず、赤外線信号を受光器に向けて効率よく送信することができる。
【００７８】
●まとめ（１）
以上説明した実施の形態によれば、切替部１８は、導光部１６の姿勢の変位に基づいて、第１導光部１６１と第２導光部１６２それぞれの反射状態と透過状態とを切り替えることにより、導光部１６により導かれる光の進行方向を切り替える。そのため、マイクロホン１は、受光器側に向けてのみ赤外線信号を送信する。すなわち、本実施の形態にかかるマイクロホン１は、マイクロホン１の姿勢（光源の向き）に関わらず、赤外線信号を受光器に向けて効率よく送信する。
【００７９】
また、第１方向Ｄ１と第２方向Ｄ２とが成す角度は、第２方向Ｄ２と第３方向Ｄ３とが成す角度と等しく、第１方向Ｄ１と第３方向Ｄ３とが成す角度とも等しい。すなわち、第１方向Ｄ１と第２方向Ｄ２と第３方向Ｄ３それぞれは、光軸Ａｘを中心として等角度（１２０°）間隔離れた方向を向くように設定される。そのため、本実施の形態にかかるマイクロホン１は、光軸Ａｘを中心としてどの方向に回転しても死角を形成せず、赤外線信号を受光器に向けて効率よく送信する。
【００８０】
さらに、第１方向Ｄ１と第２方向Ｄ２と第３方向Ｄ３とは、光軸Ａｘと直交する。そのため、本実施の形態にかかるマイクロホン１は、光軸Ａｘの傾きを固定したとき、光軸Ａｘを中心としてどの方向に回転しても、安定した強度の赤外線信号を受光器に送信する。
【００８１】
さらにまた、制御部１７（信号生成部１７３）は、第１角度α１と、第２角度α２と、第３角度α３と、に基づいて、第１反射信号と第１透過信号と第２反射信号と第２透過信号と、のうち少なくとも１の信号を出力する。そのため、マイクロホン１は、第１方向Ｄ１と第２方向Ｄ２と第３方向Ｄ３とのうち、最も受光器に近い方向（受光器方向）に向けて赤外線信号を出力する。すなわち、本実施の形態にかかるマイクロホン１は、マイクロホン１の姿勢（光源の向き）に関わらず、赤外線信号を受光器に向けて効率よく送信する。
【００８２】
さらにまた、導光部１６は、発光部１５に対して移動不能な状態で固定される。すなわち、導光部１６は、可動部を有することなく、発光部１５からの光の進行方向を切り替え可能である。そのため、本実施の形態にかかるマイクロホン１は、光源からの光を可動部を介して導く従来のワイヤレスマイクロホンと比較して、落下などの衝撃への耐久性に優れると共に、導光部の小型化を可能とする。
【００８３】
さらにまた、導光部１６により導かれた光は、拡散ケース１２（拡散部）により拡散される。そのため、本実施の形態にかかるマイクロホン１は、光源に指向性や収束性の高いレーザを用いることができ、光源に指向性や収束性の低いＬＥＤ（light emitting diode）を用いる場合と比較して導光部１６の小型化を可能とする。
【００８４】
さらにまた、導光部１６により導かれた光は、拡散ケース１２の筒状部１２１に導かれる。そのため、拡散ケース１２は、拡散ケース１２の周方向において、導光部１６により導かれた光を拡散して放射する。
【００８５】
なお、第１方向と第２方向と第３方向とは、各方向において拡散ケース（拡散部）が拡散した光の範囲同士に重複する部分があれば、光軸を中心として等角度間隔に離れなくてもよい。すなわち、例えば、第１方向と第２方向とが成す角度は、第１方向と第３方向とが成す角度と同じであり、かつ、第２方向と第３方向とが成す角度と異なってもよい。あるいは、第１方向と第２方向とが成す角度は、第１方向と第３方向とが成す角度と第２方向と第３方向とが成す角度それぞれと異なってもよい。
【００８６】
また、第１方向と第２方向と第３方向それぞれと、光軸と、が成す角度は、直角でなくてもよい。すなわち、例えば、第１方向と第２方向と第３方向それぞれと光軸とが成す角度は、発光部側に鋭角でもよく、あるいは、発光部側に鈍角でもよい。また、例えば、第１方向と光軸とが成す角度は、第２方向と光軸とが成す角度と、第３方向と光軸とが成す角度と、異なってもよい。同様に第２方向と光軸とが成す角度は、第３方向と光軸とが成す角度と異なってもよい。
【００８７】
さらに、第１導光部と第２導光部との状態の変化は、本実施の形態に限定されない。すなわち、たとえば、第１導光部と第２導光部とは、負の電圧が印加されたときに反射状態となり、正の電圧が印加されたときに透過状態となってもよい。
【００８８】
さらにまた、第１導光部と第２導光部とは、所定の電圧が印加された後、次に反対の電圧が印加されるまでの間、透過状態または反射状態を維持してもよく、所定の電圧が印加されている間のみ、透過状態または反射状態を維持してもよい。
【００８９】
さらにまた、導光部は、反射ミラーに代えて、調光ミラーを末端導光部として機能させてもよい。すなわち、例えば、末端導光部が透過状態のとき、発光部からの光は、拡散ケースの底部に導かれる。この場合、第２方向は、末端導光部が反射状態のとき末端導光部が光を反射する方向である。このとき、切替部は、末端導光部の反射状態と透過状態とを切り替える。
【００９０】
さらにまた、第１導光部と第２導光部と末端導光部それぞれの形状は、円板状に限定されない。すなわち、例えば、第１導光部と第２導光部と末端導光部それぞれの形状は、椀状に湾曲してもよく、入射面（反射面）のみが湾曲した形状でもよい。
【００９１】
さらにまた、末端導光部は、導光部のうち、マイクロホンの末端側に配置されなくてもよい。すなわち、例えば、末端導光部が調光ミラーで構成されているとき、導光部は、末端導光部よりもマイクロホンの末端側に配置される他のミラーを備えてもよい。
【００９２】
さらにまた、以上説明した実施の形態における導光部は、２つの調光ミラーと１つの反射ミラーとにより構成されていた。これに代えて、本発明における導光部は、３つ以上の調光ミラーと１つの反射ミラーとにより構成されてもよく、１つの調光ミラーと１つの反射ミラーとにより構成されてもよい。
【００９３】
●ワイヤレスマイクロホン（２）●
次に、本発明にかかるワイヤレスマイクロホンの別の実施の形態について、先に説明した実施の形態（以下「第１実施形態」という。）と異なる部分を中心に説明する。本実施の形態（以下「第２実施形態」という。）は、導光部が第２導光部を備えない点が第１実施形態と異なる。
【００９４】
●ワイヤレスマイクロホン（２）の構成
図１４は、マイクロホンの別の実施の形態を示す機能ブロック図である。
同図において、他の図面と同じ符号を付された部材は、他の図面に示される部材と同じ構成と機能とを備える。
【００９５】
マイクロホン１Ａは、グリップ筐体１０（図１参照）と、ヘッドケース１１（図１参照）と、拡散ケース１２と、ドライバユニット１３と、変調部１４と、発光部１５と、導光部１６Ａと、制御部１７Ａと、切替部１８Ａと、電源部１９と、回路基板２０と、を有してなる。
【００９６】
導光部１６Ａは、発光部１５からの光をマイクロホン１Ａの外部に向けて導く。導光部１６Ａは、第１導光部１６１と末端導光部１６３Ａとを備える。
【００９７】
図１５は、第１導光部１６１と末端導光部１６３Ａとが光を導く様子を示す模式図である。
同図は、発光部１５からの光が透過状態である第１導光部１６１を透過し、末端導光部１６３Ａにより拡散ケース１２へ向けて導かれ、拡散ケース１２により拡散されていることを示す。
【００９８】
末端導光部１６３Ａは、第１導光部１６１を透過した光を第２方向Ｄ２Ａへ導く。末端導光部１６３Ａは、光を全反射する反射ミラーである。末端導光部１６３Ａは、第１導光部１６１からの光を反射する反射面１６３Ａａを備える。末端導光部１６３Ａは、円板状である。
【００９９】
「第２方向Ｄ２Ａ」は、反射面１６３Ａａにより反射された光が導かれる方向である。
【０１００】
末端導光部１６３Ａは、発光部１５からの光の進行方向において、第１導光部１６１の前方、かつ、光軸Ａｘ上に配置される。すなわち、本実施形態において、末端導光部１６３Ａは、第１導光部１６１よりもマイクロホン１Ａの末端側に配置される。末端導光部１６３Ａの反射面１６３Ａａは、光軸Ａｘに対して４５°の角度で傾斜する。すなわち、光軸Ａｘと反射面１６３Ａａにより反射された光の光軸とが成す角度は、９０°である。つまり、第２方向Ｄ２Ａは、光軸Ａｘと直交する。
【０１０１】
第１導光部１６１と末端導光部１６３Ａとは、光軸Ａｘ上に配置され、固定部材（不図示）により固定される。末端導光部１６３Ａの反射面１６２Ａａは、発光部１５側から見た光軸Ａｘの軸方向視において、第１導光部１６１を光軸Ａｘを中心に時計回り方向に１８０°回転させたときの第１面１６１ａと平行である。
【０１０２】
図１６は、光軸Ａｘに対する第１方向Ｄ１と第２方向Ｄ２Ａとの関係を示す模式図である。同図の矢印は、光軸Ａｘの軸方向視における第１方向Ｄ１と第２方向Ｄ２Ａそれぞれの向きを示す。
【０１０３】
第１方向Ｄ１と第２方向Ｄ２Ａとが成す角度は、光軸Ａｘの軸方向視において、１８０°である。すなわち、第１方向Ｄ１は、第２方向Ｄ２Ａと反対の方向である。つまり、第１方向Ｄ１は、第２方向Ｄ２Ａと異なる。
【０１０４】
図１４に戻る。
このように、導光部１６Ａ（第１導光部１６１、末端導光部１６３Ａ）は、光源である発光部１５に対して所定の位置に固定部材（不図示）により固定される。すなわち、導光部１６Ａは、発光部１５に対して移動不能な状態で固定される。
【０１０５】
制御部１７Ａは、基準方向に対する導光部１６Ａの姿勢の変位に基づいて、制御信号を出力すると共に、マイクロホン１Ａの全体の動作を制御する。制御部１７Ａは、例えば、ＣＰＵ、ＭＰＵなどのプロセッサや、ＡＳＩＣ、ＦＰＧＡなどの集積回路と、ＲＯＭやＲＡＭなどの半導体メモリ素子と、により構成される。制御部１７Ａは、回路基板２０に実装される。制御部１７Ａは、センサ部１７１と、演算部１７２Ａと、信号生成部１７３Ａと、を備える。
【０１０６】
演算部１７２Ａは、センサ部１７１の検知結果（重力方向Ｇに対する基準軸Ｘ，Ｙ，Ｚの変位）に基づいて、重力方向Ｇに対する第１方向Ｄ１と第２方向Ｄ２Ａそれぞれの変位を算出する。センサ部１７１と演算部１７２Ａとは、本発明における検知部として機能する。演算部１７２Ａの検知結果（すなわち、検知部の検知結果）は、信号生成部１７３Ａに出力される。
【０１０７】
信号生成部１７３Ａは、検知部の検知結果（導光部１６Ａの姿勢の変位）に基づいて、制御信号を生成して切替部１８Ａに出力する。制御信号の生成については、後述する。
【０１０８】
「制御信号」は、導光部１６Ａにより導かれる光の進行方向（第１方向Ｄ１、第２方向Ｄ２Ａ）を切り替える信号である。制御信号は、第１導光部１６１を反射状態に切り替える第１反射信号と、第１導光部１６１を透過状態に切り替える第１透過信号と、を含む。制御信号は、切替部１８Ａに出力される。
【０１０９】
切替部１８Ａは、制御部１７Ａからの制御信号に基づいて、電源部１９から導光部１６Ａに印加される電力を制御することにより、導光部１６Ａにより導かれる光の進行方向を切り替える。切替部１８Ａは、例えば、電源部１９から導光部１６Ａに印加される電源の電圧の正負を切り替える公知の回路である。すなわち、例えば、切替部１８Ａは、第１反射信号に基づいて第１導光部１６１に正の電圧を印加して第１導光部１６１を反射状態に切り替え、第１透過信号に基づいて第１導光部１６１に負の電圧を印加して第１導光部１６１を透過状態に切り替える。切替部１８Ａは、回路基板２０に実装される。
【０１１０】
●ワイヤレスマイクロホン（２）の動作
次に、マイクロホン１Ａの動作について説明する。
【０１１１】
図１７は、マイクロホン１Ａの動作を示すフローチャートである。
先ず、検知部（センサ部１７１，演算部１７２Ａ）は、導光部１６Ａの姿勢の変位を検知する（Ｓ１１）。検知部の検知結果は、信号生成部１７３Ａに出力される。
【０１１２】
次いで、信号生成部１７３Ａ（制御部１７Ａ）は、検知部の検知結果に基づいて、重力方向Ｇに対する第１方向Ｄ１と第２方向Ｄ２Ａそれぞれの現在の向き、すなわち、現在の導光部１６Ａの姿勢を特定する（Ｓ１２）。
【０１１３】
次いで、信号生成部１７３Ａは、第１方向Ｄ１と第２方向Ｄ２Ａとのうち、受光器方向を特定する（Ｓ１３）。本実施の形態における受光器方向は、第１方向Ｄ１と第２方向Ｄ２Ａとのうち、最も上方（重力方向Ｇの反対方向）を向いている方向である。
【０１１４】
図１８は、信号生成部１７３Ａによる受光器方向の特定の例を示す模式図である。
信号生成部１７３Ａは、例えば、基準方向である重力方向Ｇと第１方向Ｄ１とが成す角度（以下「第１角度」という。）α１と、重力方向Ｇと第２方向Ｄ２Ａとが成す角度（以下「第２角度」という。）α２Ａと、を算出し、第１角度α１と第２角度α２Ａとを比較することにより、受光器方向を特定する。すなわち、例えば、第１角度α１が第２角度α２Ａより大きいとき（α１＞α２）、信号生成部１７３Ａは、第１方向Ｄ１が受光器方向であると特定する。
【０１１５】
図１７に戻る。
次いで、信号生成部１７３Ａは、特定された受光器方向に対応する制御信号を生成する（Ｓ１４）。すなわち、信号生成部１７３Ａは、第１方向Ｄ１が受光器方向であると特定したとき（例えば、図１６のα１＞α２Ａ）、第１反射信号を生成する。信号生成部１７３Ａは、第２方向Ｄ２Ａが受光器方向であると特定したとき（例えば、図１６のα２Ａ＞α１）、第１透過信号を生成する。すなわち、制御部１７Ａは、第１角度α１と第２角度α２Ａとに基づいて、制御信号を生成する。制御信号は、切替部１８Ａに出力される。
【０１１６】
次いで、切替部１８Ａは、制御信号に基づいて、導光部１６Ａにより導かれる光の進行方向を切り替える（Ｓ１５）。
【０１１７】
図１９は、導光部１６Ａにより導かれる光の進行方向の切り替えの例を示す模式図である。同図は、光軸Ａｘが水平方向と平行な状態（マイクロホン１の長手方向が水平方向と平行な状態）において、第１方向Ｄ１が鉛直方向において真上を向いている状態を０°として、光軸Ａｘを中心に導光部１６の姿勢を０°から３６０°の間で変位（回転）させたときの第１方向Ｄ１と第２方向Ｄ２Ａそれぞれの向きを示す。同図は、導光部１６Ａにより光が導かれている方向（受光器方向）を太い矢印と扇形の記号とで示す。同図は、光軸Ａｘを「●」で示す。
【０１１８】
導光部１６Ａの姿勢が０°から９０°の間で変位するとき、第１角度α１は第２角度α２Ａより大きく、受光器方向は第１方向Ｄ１である。このとき、信号生成部１７３Ａは、第１反射信号を生成して、切替部１８Ａに出力する。切替部１８Ａは、第１導光部１６１に正の電圧を印加して第１導光部１６１を反射状態に切り替える。その結果、発光部１５からの光は、第１導光部１６１により第１方向Ｄ１に反射される（導かれる）。
【０１１９】
導光部１６Ａの姿勢が９０°から２７０°の間で変位するとき、第２角度α２Ａは第１角度α１より大きく、受光器方向は第２方向Ｄ２Ａである。このとき、信号生成部１７３Ａは、第１透過信号を生成して、切替部１８Ａに出力する。切替部１８Ａは、第１導光部１６１に負の電圧を印加して第１導光部１６１を透過状態に切り替える。その結果、発光部１５からの光は、第１導光部１６１を透過して、末端導光部１６３Ａにより第２方向Ｄ２に反射される（導かれる）。
【０１２０】
導光部１６Ａの姿勢が２７０°から３６０°の間で変位するとき、第１角度α１は第２角度α２Ａより大きく、受光器方向は第１方向Ｄ１である。このとき、信号生成部１７３Ａは、第１反射信号を生成して、切替部１８Ａに出力する。切替部１８Ａは、第１導光部１６１に正の電圧を印加して第１導光部１６１を反射状態に切り替える。その結果、発光部１５からの光は、第１導光部１６１により第１方向Ｄ１に反射される（導かれる）。
【０１２１】
このように、制御部１７Ａは、重力方向Ｇに対する導光部１６Ａの姿勢の変位に基づいて、第１反射信号または第１透過信号を切替部１８に出力する。切替部１８Ａは、制御信号に基づいて、導光部１６Ａにより導かれる光の進行方向を切り替える。その結果、本実施の形態にかかるマイクロホン１Ａは、マイクロホン１Ａの姿勢に関わらず、赤外線信号を受光器に向けて効率よく送信することができる。
【０１２２】
●まとめ（２）
以上説明した第２実施形態によれば、切替部１８Ａは、導光部１６Ａの姿勢の変位に基づいて、第１導光部１６１の反射状態と透過状態とを切り替えることにより、導光部１６Ａにより導かれる光の進行方向を切り替える。そのため、マイクロホン１Ａは、受光器側に向けてのみ赤外線信号を送信する。すなわち、第２実施形態にかかるマイクロホン１Ａは、マイクロホン１Ａの姿勢（光源の向き）に関わらず、赤外線信号を受光器に向けて効率よく送信する。
【０１２３】
また、第１方向Ｄ１は、第２方向Ｄ２と反対の方向である。すなわち、第１方向Ｄ１と第２方向Ｄ２Ａとは、光軸Ａｘを中心として１８０°離れた方向を向くように設定される。そのため、第２実施形態にかかるマイクロホン１は、光軸Ａｘを中心としてどの方向に回転しても死角を形成せず、赤外線信号を受光器に向けて効率よく送信する。
【０１２４】
さらに、第１方向Ｄ１と第２方向Ｄ２Ａとは、光軸Ａｘと直交する。そのため、第２実施形態にかかるマイクロホン１Ａは、光軸Ａｘの傾きを固定したとき、光軸Ａｘを中心としてどの方向に回転しても、安定した強度の赤外線信号を受光器に送信する。
【０１２５】
さらにまた、制御部１７Ａ（信号生成部１７３Ａ）は、第１角度α１と、第２角度α２Ａと、に基づいて、第１反射信号または第１透過信号を出力する。そのため、マイクロホン１Ａは、第１方向Ｄ１と第２方向Ｄ２Ａとのうち、最も受光器に近い方向に向けて赤外線信号を出力する。すなわち、第２実施形態にかかるマイクロホン１Ａは、マイクロホン１Ａの姿勢（光源の向き）に関わらず、赤外線信号を受光器に向けて効率よく送信する。
【０１２６】
さらにまた、導光部１６Ａは、発光部１５に対して移動不能な状態で固定される。すなわち、導光部１６Ａは、可動部を有することなく、発光部１５からの光の進行方向を切り替え可能である。そのため、第２実施形態にかかるマイクロホン１Ａは、従来のワイヤレスマイクロホンと比較して、耐久性に優れると共に導光部の小型化を可能とする。
【０１２７】
なお、第１方向と第２方向とは、各方向において拡散部が拡散した光の範囲同士に重複する部分があれば、光軸を中心として１８０°離れなくてもよい。
【０１２８】
また、第１方向と第２方向それぞれと、光軸と、が成す角度は、直角でなくてもよい。
【０１２９】
●ワイヤレスマイクロホン（３）●
次に、本発明にかかるワイヤレスマイクロホンの別の実施の形態について、先に説明した第１実施形態や第２実施形態と異なる部分を中心に説明する。本実施の形態（以下「第３実施形態」という。）は、拡散部の構成が第２実施形態と異なる。
【０１３０】
●ワイヤレスマイクロホン（３）の構成
図２０は、マイクロホンのさらに別の実施の形態を示す模式図である。
同図において、他の図面と同じ符号を付された部材は、他の図面に示される部材と同じ構成と機能とを備える。
【０１３１】
マイクロホン１Ｂは、グリップ筐体１０と、ヘッドケース１１（図１参照）と、導光部ケース１２Ｂと、ドライバユニット１３（図２参照）と、変調部１４（図２参照）と、発光部１５と、導光部１６Ａと、制御部１７（図２参照）と、切替部１８（図２参照）と、電源部１９（図２参照）と、回路基板２０（図２参照）と、拡散部２１Ｂと、を有してなる。
【０１３２】
導光部ケース１２Ｂは、導光部１６を収容する。導光部ケース１２Ｂの構成は、光を拡散させない点を除き、第１実施形態における拡散ケース１２の構成と共通する。
【０１３３】
拡散部２１Ｂは、導光部１６により導かれた光を拡散して、導光部ケース１２Ｂに向けて放射する。拡散部２１Ｂは、第１拡散部２１１Ｂと第２拡散部２１２Ｂとを備える。第１拡散部２１１Ｂと第２拡散部２１２Ｂとは、光を拡散させる処理（例えば、凹凸処理など）が施された板状のレンズである。
【０１３４】
第１拡散部２１１Ｂは、第１導光部１６１により反射された光を拡散させる。第１拡散部２１１Ｂは、第１導光部１６１により反射された光の光路上であって、第１導光部１６１と導光部ケース１２Ｂとの間に配置される。
【０１３５】
第２拡散部２１２Ｂは、末端導光部１６３Ａにより反射された光を拡散させる。第２拡散部２１２Ｂは、末端導光部１６３Ａにより反射された光の光路上であって、末端導光部１６３Ａと導光部ケース１２Ｂとの間に配置される。
【０１３６】
●まとめ（３）
以上説明した第３実施形態によれば、拡散部２１Ｂは、導光部１６に対応するレンズにより構成される。そのため、マイクロホン１Ｂは、導光部１６により導かれた光をより確実に広範囲に拡散する。すなわち、第３実施形態にかかるマイクロホン１Ｂは、マイクロホン１Ｂの姿勢に関わらず、赤外線信号を受光器に向けて効率よく送信する。
【０１３７】
なお、拡散部は、導光部に備えられてもよい。すなわち、例えば、導光部は、第１面が凸面形状（または凹面形状）の第１導光部と、反射面が凸面形状（または凹面形状）の末端導光部と、を備えてもよい。この場合、導光部の他に拡散部を設けるためのスペースが不要となり、導光部ケースの小型化が可能となり、導光部と拡散部との構成の簡素化が可能となる。
【０１３８】
また、拡散部は、第１実施形態における導光部に対応する構成を備えてもよい。すなわち、例えば、拡散部は、第２導光部により反射された光を反射させる部材も備えてもよい。
【０１３９】
さらに、第１拡散部と第２拡散部とは、入射面が凹面状のレンズや、出射面が凸面状のレンズでもよい。
【０１４０】
●まとめ（その他）
なお、以上説明した各実施の形態における基準方向は重力方向Ｇであったが、本発明における基準方向は、受光器方向が特定可能であれば、重力方向に限定されない。すなわち、例えば、基準方向は、水平方向でもよい。この場合、例えば、信号生成部は、第１方向と第２方向と（第３方向と）のうち、水平面の上面側を向き、かつ、水平面との角度が最も大きい方向を受光器方向として特定してもよい。
【０１４１】
また、本発明における導光部の姿勢の変位の検出は、各実施の形態に限定されない。すなわち、例えば、制御部は、センサを用いた他の公知の検知方法を用いて導光部の姿勢（第１方向と第２方向と第３方向との向き）の変位を検知してもよい。
【０１４２】
さらに、本発明における発光部が出力する光は、情報を搬送可能であれば、赤外線に限定されない。すなわち、例えば、発光部が出力する光は、紫外線や可視光線の帯域の光でもよい。
【０１４３】
さらにまた、本発明における発光部は、レーザダイオードに限定されない。すなわち、例えば、発光部は、ＬＥＤでもよい。
【０１４４】
さらにまた、本発明における受光器は、壁面に配置されてもよい。
【０１４５】
さらにまた、本発明における受光器方向は、第１方向と第２方向と（第３方向と）のうち、最も上方を向いている方向に限定されない。
【０１４６】
さらにまた、変調部と切替部とは、制御部と共通したプロセッサや集積回路により構成されてもよい。
【符号の説明】
【０１４７】
１        ワイヤレスマイクロホン
１２      拡散ケース（拡散部）
１３      ドライバユニット
１５      発光部（光源）
１６      導光部
１６１    第１導光部
１６２    第２導光部
１６３    末端導光部
１７      制御部
１７１    センサ部（検知部）
１７２    演算部（検知部）
１７３    信号生成部
１８      切替部
Ａｘ      光軸
Ｄ１      第１方向
Ｄ２      第２方向
Ｄ３      第３方向
１Ａ      ワイヤレスマイクロホン
１６Ａ    導光部
１６３Ａ  末端導光部
１７Ａ    制御部
１８Ａ    切替部
Ｄ２Ａ    第２方向
１Ｂ      ワイヤレスマイクロホン
２１Ｂ    拡散部
【図１】
2020068490.tif 000003
【図２】
2020068490.tif 000004
【図３】
2020068490.tif 000005
【図４】
2020068490.tif 000006
【図５】
2020068490.tif 000007
【図６】
2020068490.tif 000008
【図７】
2020068490.tif 000009
【図８】
2020068490.tif 000010
【図９】
2020068490.tif 000011
【図１０】
2020068490.tif 000012
【図１１】
2020068490.tif 000013
【図１２】
2020068490.tif 000014
【図１３】
2020068490.tif 000015
【図１４】
2020068490.tif 000016
【図１５】
2020068490.tif 000017
【図１６】
2020068490.tif 000018
【図１７】
2020068490.tif 000019
【図１８】
2020068490.tif 000020
【図１９】
2020068490.tif 000021
【図２０】
2020068490.tif 000022